(57)【要約】【課題】取り付けが簡単な補助化粧パネル、天井埋め込み式空気調和機の室内機、天井埋め込み式空気調和機、および、天井埋め込み式空気調和機の設置方法を提供する。【解決手段】補助化粧パネル（２０）は、天井埋め込み式空気調和機の室内機本体（３）の埋め込みのために形成された天井開口部（６）において化粧パネル（１０）によって覆われない余剰開口（６ａ）を覆う補助化粧パネル（２０）であって、当該補助化粧パネル（２０）を吊りボルト（７）、天井支持部材（８）、または室内機本体（３）に対し仮止めする第１仮止め部（２５）を有する。【選択図】図１
2020056556.tif 000002
【特許請求の範囲】
【請求項１】
天井埋め込み式空気調和機（１）の室内機本体（３）の埋め込みのために形成された天井開口部（６）において、化粧パネル（１０）によって覆われない余剰開口（６ａ）を覆う補助化粧パネル（２０）であって、
当該補助化粧パネル（２０）を吊りボルト（７）、天井支持部材（８）、または前記室内機本体（３）に対し仮止めする第１仮止め部（２５）を有する
補助化粧パネル。
【請求項２】
前記第１仮止め部（２５）は、環状部（２７）またはフック部（４１）として形成されている
請求項１に記載の補助化粧パネル。
【請求項３】
天井埋め込み式空気調和機（１）の室内機本体（３）の埋め込みのために形成された天井開口部（６）において、化粧パネル（１０）によって覆われない余剰開口（６ａ）を覆う補助化粧パネル（２０）であって、
当該補助化粧パネル（２０）は、吊りボルト（７）、天井支持部材（８）または前記室内機本体（３）に設けられた、当該補助化粧パネル（２０）を仮止めする第２仮止め部（３１）に対し、仮止め可能に構成されている
補助化粧パネル。
【請求項４】
天井開口部（６）に化粧パネル（１０）および補助化粧パネル（２０）が取り付けられて天井裏に設置される天井埋め込み式空気調和機（１）の室内機（２）であって、
締結部（１２）により前記化粧パネル（１０）が係合される化粧パネル係合部（３ａ）と、前記補助化粧パネル（２０）を仮止めする第２仮止め部（３１）とを有する
天井埋め込み式空気調和機の室内機。
【請求項５】
天井開口部（６）に化粧パネル（１０）および補助化粧パネル（２０）が取り付けられて、室内機本体（３）が天井裏に設置される天井埋め込み式空気調和機（１）であって、
前記室内機本体（３）は、締結部（１２）により前記化粧パネル（１０）が係合される化粧パネル係合部（３ａ）と、前記補助化粧パネル（２０）を仮止めする第２仮止め部（３１）とを有し、
前記補助化粧パネル（２０）は、前記補助化粧パネル（２０）を前記室内機本体（３）の前記第２仮止め部（３１）に仮止めする第１仮止め部（２５）を有する
天井埋め込み式空気調和機。
【請求項６】
天井開口部（６）に化粧パネル（１０）および補助化粧パネル（２０）が取り付けられて、室内機本体（３）が天井裏に設置される天井埋め込み式空気調和機（１）の設置方法であって、
吊りボルト（７）、天井支持部材（８）または前記室内機本体（３）に設けられている第２仮止め部（３１）に対し、前記補助化粧パネル（２０）に設けられている第１仮止め部（２５）を係合することによって、吊りボルト（７）、前記天井支持部材（８）または前記室内機本体（３）に前記補助化粧パネル（２０）を仮止めする作業と、
前記化粧パネル（１０）を前記室内機本体（３）に取り付ける作業と、
前記補助化粧パネル（２０）を天井（５）に締結する作業と、を有する
天井埋め込み式空気調和機の設置方法。
【発明の詳細な説明】
【技術分野】
【０００１】
本開示は、天井埋め込み式空気調和機について、補助化粧パネル、天井埋め込み式空気調和機の室内機、天井埋め込み式空気調和機、および、天井埋め込み式空気調和機の設置方法に関する。
【背景技術】
【０００２】
天井埋め込み式空気調和機が埋め込められる天井において、室内機本体の小型化とともに化粧パネルが小型化される傾向にある。このため、空気調和機を更新すると、化粧パネルの両側に余剰開口が発生する場合がある。従来技術（例えば、特許文献１）のように、開口部の余剰開口は補助化粧パネルで覆われる。補助化粧パネルは、化粧パネルの上に載せられて、化粧パネルとともに天井の開口部に取り付けられる。
【先行技術文献】
【特許文献】
【０００３】
【特許文献１】特開２０１５−１７２４５１号公報
【発明の概要】
【発明が解決しようとする課題】
【０００４】
ところで、従来技術では、補助化粧パネルが化粧パネルの上に載せられているため、補助化粧パネルおよび化粧パネルを天井に取り付けにくい。
本開示の目的は、取り付けが簡単な補助化粧パネル、天井埋め込み式空気調和機の室内機、天井埋め込み式空気調和機、および、天井埋め込み式空気調和機の設置方法を提供することにある。
【課題を解決するための手段】
【０００５】
第１観点に係る補助化粧パネルによれば、天井埋め込み式空気調和機の室内機本体の埋め込みのために形成された天井開口部において、化粧パネルによって覆われない余剰開口を覆う補助化粧パネルであって、当該補助化粧パネルを吊りボルト、天井支持部材、または前記室内機本体に対し仮止めする第１仮止め部を有する。
【０００６】
この構成によれば、補助化粧パネルに設けられている第１仮止め部によって補助化粧パネルを吊りボルト、天井支持部材、または室内機本体に仮止めできるため、その後の化粧パネルの取り付けの際に補助化粧パネルを支える必要がない。このように、化粧パネルおよび補助化粧パネルの取り付けを簡単に行うことができる。
【０００７】
第２観点に係る補助化粧パネルによれば、前記第１仮止め部は、環状部またはフック部として形成されている。
この構成によれば、環状部またはフック部を介して補助化粧パネルを吊りボルト、天井支持部材、または室内機本体に仮止めできる。
【０００８】
第３観点に係る補助化粧パネルによれば、天井埋め込み式空気調和機の室内機本体の埋め込みのために形成された天井開口部において、化粧パネルによって覆われない余剰開口を覆う補助化粧パネルであって、当該補助化粧パネルは、吊りボルト、天井支持部材、または前記室内機本体に設けられた、当該補助化粧パネルを仮止めする第２仮止め部に対し、仮止め可能に構成されている。
【０００９】
この構成によれば、吊りボルト、天井支持部材、または室内機本体に設けられている第２仮止め部によって補助化粧パネルを吊りボルト、天井支持部材、または室内機本体に仮止めできるため、その後の化粧パネルの取り付けの際に補助化粧パネルを支える必要がない。このように、化粧パネルおよび補助化粧パネルの取り付けを簡単に行うことができる。
【００１０】
第４観点に係る天井埋め込み式空気調和機の室内機によれば、天井開口部に化粧パネルおよび補助化粧パネルが取り付けられて天井裏に設置される天井埋め込み式空気調和機の室内機であって、締結部により前記化粧パネルが係合される化粧パネル係合部と、前記補助化粧パネルを仮止めする第２仮止め部とを有する。
【００１１】
この構成によれば、室内機本体に設けられている第２仮止め部によって補助化粧パネルを室内機本体に仮止めできるため、その後の化粧パネルの取り付けの際に補助化粧パネルを支える必要がない。このように、化粧パネルおよび補助化粧パネルの取り付けを簡単に行うことができる。
【００１２】
第５観点に係る天井埋め込み式空気調和機によれば、天井開口部に化粧パネルおよび補助化粧パネルが取り付けられて、室内機本体が天井裏に設置される天井埋め込み式空気調和機であって、前記室内機本体は、締結部により前記化粧パネルが係合される化粧パネル係合部と、前記補助化粧パネルを仮止めする第２仮止め部とを有し、前記補助化粧パネルは、前記補助化粧パネルを前記室内機本体の前記第２仮止め部に仮止めする第１仮止め部を有する。
【００１３】
この構成によれば、吊りボルト、天井支持部材、または室内機本体に設けられている第２仮止め部と補助化粧パネルに設けられている第１仮止め部とによって補助化粧パネルを吊りボルト、天井支持部材、または室内機本体に仮止めできるため、その後の化粧パネルの取り付けの際に補助化粧パネルを支える必要がない。このように、化粧パネルおよび補助化粧パネルの取り付けを簡単に行うことができる。
【００１４】
第６観点に係る天井埋め込み式空気調和機の設置方法によれば、天井開口部に化粧パネルおよび補助化粧パネルが取り付けられて、室内機本体が天井裏に設置される天井埋め込み式空気調和機の設置方法であって、吊りボルト、天井支持部材、または前記室内機本体に設けられている第２仮止め部に対し、前記補助化粧パネルに設けられている第１仮止め部を係合することによって、吊りボルト、前記天井支持部材または前記室内機本体に前記補助化粧パネルを仮止めする作業と、前記化粧パネルを前記室内機本体に取り付ける作業と、前記補助化粧パネルを天井に締結する作業と、を有する。
【００１５】
この構成によれば、設置作業において、補助化粧パネルに設けられている第１仮止め部によって補助化粧パネルを吊りボルト、天井支持部材、または室内機本体に仮止めする。このため、化粧パネルの取り付けの際に補助化粧パネルを支える必要がない。このように、化粧パネルおよび補助化粧パネルを簡単に取り付けできる。
【発明の効果】
【００１６】
上記補助化粧パネル、天井埋め込み式空気調和機の室内機、天井埋め込み式空気調和機、および、天井埋め込み式空気調和機の設置方法によれば、化粧パネルおよび補助化粧パネルを簡単に取り付けできる。
【図面の簡単な説明】
【００１７】
【図１】天井埋め込み式空気調和機の室内機の模式図。
【図２】天井埋め込み式空気調和機の室内機の斜視図。
【図３】天井裏側からみた化粧パネルの斜視図。
【図４】化粧パネルにおける締結部の斜視図。
【図５】図４におけるＶ−Ｖ線に沿う断面図。
【図６】補助化粧パネルの斜視図。
【図７】仮止め構造の斜視図。
【図８】補助化粧パネルに対して第１仮止め部を取り付ける方法を示す説明図。
【図９】天井埋め込み式空気調和機の設置方法について第１の説明図。
【図１０】天井埋め込み式空気調和機の設置方法について第２の説明図。
【図１１】天井埋め込み式空気調和機の設置方法について第３の説明図。
【図１２】仮止め構造について、第１の変形例を示す斜視図。
【図１３】仮止め構造について、第２の変形例を示す斜視図。
【図１４】仮止め構造について、第３の変形例を示す斜視図。
【発明を実施するための形態】
【００１８】
以下、本実施形態に係る天井埋め込み式空気調和機の室内機１について説明する。天井埋め込み式空気調和機の室内機１における上下方向は、天井埋め込み式空気調和機の室内機１を天井裏に設置したときの姿勢において、鉛直方向に沿う。
【００１９】
図１は、天井埋め込み式空気調和機の室内機１の模式図であって、室内機１を更新据え付けた後の設置状態を示す。図２は、天井埋め込み式空気調和機の室内機１の更新据え付け時の一例である。天井埋め込み式空気調和機の室内機１は、室内機本体３と、化粧パネル１０と、補助化粧パネル２０とを有する。室内機本体３は、室内機本体３の埋め込みのために天井５に形成された天井開口部６から天井裏に配置されて、天井５上にある躯体９から吊りボルト７によって吊り下げられる。天井開口部６は、天井５を支持する複数の天井支持部材８の間に形成される。天井５は、野縁８ａ、野縁受け８ｂ、天井被覆材８ｃ等から成る。化粧パネル１０は、天井開口部６を覆うものであって、室内機本体３に取り付けられる。ところで、図１および図２は、室内機１が小型化されている場合の空気調和機の更新据え付け例であって、化粧パネル１０は天井開口部６の一部しか覆うことができない。このため、補助化粧パネル２０が用いられている。補助化粧パネル２０は、天井開口部６において、化粧パネル１０によって覆われない余剰開口６ａを覆う。
【００２０】
図３は、天井裏側からみた化粧パネル１０の斜視図である。図３に示されるように、化粧パネル１０は、吸い込み口１０ａと、吹き出し口１０ｂとを有する。化粧パネル１０の４つの角部周辺１１には、化粧パネル１０を室内機本体３に固定するための締結部１２が設けられている。
【００２１】
図４は、締結部１２を示す。図５は、締結部１２の断面構造を示す。図４および図５に示されるように、締結部１２は、締結部材１３と、室内機本体３に掛けられるフック部１４とを有する。図５に示すように、締結部材１３は、例えばボルトである。フック部１４は、フック保持部１４ａと、室内機本体３の化粧パネル係合部３ａに係合するフック係合部１４ｂとを有する。フック係合部１４ｂは、鋼線によって形成され、フック保持部１４ａの一方端から延びて他方端に繋がる。締結部材１３は、化粧パネル１０の角部周辺１１に設けられた凹部１５の底の挿通孔１１ａを通って、フック保持部１４ａに設けられるねじ孔１４ｃにねじ入る。フック保持部１４ａは、締結部材１３がねじ込まれるときに締結部材１３とともに回転しないように、化粧パネル１０の角部周辺１１の凹部１５に収容されている。締結部材１３の頭部１３ａは、化粧パネル１０の下側に露出する。化粧パネル１０の下面１０ｃにおいて締結部材１３の頭部１３ａが露出する部分は、化粧パネル１０のカバー部１６によって覆われる（図２および図１１参照）。締結部材１３をねじ込むと、フック保持部１４ａが化粧パネル１０に近づけられて化粧パネル１０が室内機本体３に近づく。このようにして、化粧パネル１０は、締結部材１３のねじ込みによって、室内機本体３に引き寄せられる。
【００２２】
図６に示されるように、補助化粧パネル２０は、化粧パネル１０によって覆われる開口部２１を有する。補助化粧パネル２０は、上下方向において天井５と化粧パネル１０とによって挟まれる。補助化粧パネル２０は、補助化粧パネル２０を吊りボルト７、天井支持部材８、または室内機本体３に対し仮止めする第１仮止め部２５を有する。本実施形態では、補助化粧パネル２０は、第１仮止め部２５によって、室内機本体３に対して仮止めされる。第１仮止め部２５は、補助化粧パネル２０を天井５よりも下に吊り下げるものとして構成される。補助化粧パネル２０は、少なくとも２つの第１仮止め部２５を有する。例えば、本実施形態のように、補助化粧パネル２０は、４つの第１仮止め部２５を有する。第１仮止め部２５は、化粧パネル１０によって隠されるところに設けられることが好ましい。本実施形態では、第１仮止め部２５は、開口部２１の角部２１ａの周辺に取り付けられる。第１仮止め部２５は、室内機本体３の第２仮止め部３１に掛けられる環状部２７を有する。第１仮止め部２５は、環状部２７に代えてフック部（図１２参照）を有してもよい。本実施形態では、第１仮止め部２５は、紐によって構成される。紐は、樹脂、繊維、金属によって構成される。紐は、可撓性を有することが好ましい。紐は、補助化粧パネル２０が仮止めされた状態において、直線的に延びる素材によって構成されることが好ましい。
【００２３】
図７は、補助化粧パネル２０が、第１仮止め部２５によって仮止めされた状態を示す。第１仮止め部２５が紐である場合、補助化粧パネル２０が仮止めされた状態において、第１仮止め部２５が引っ張られて、直線的に延びる。
【００２４】
第１仮止め部２５は、補助化粧パネル２０に簡単に取り付けられるが好ましい。本実施形態では、第１仮止め部２５は、環状の紐（環状部）によって構成されている。また、補助化粧パネル２０において開口部２１の角部２１ａの周辺には、第１仮止め部２５が挿通する貫通孔２３が設けられる（図８参照）。
【００２５】
図８は、補助化粧パネル２０に対して第１仮止め部２５を取り付ける方法を示す図である。
第１仮止め部２５の第１端部２５ａは、補助化粧パネル２０の裏面から開口部２１を通って、補助化粧パネル２０の下面から貫通孔２３を通って、補助化粧パネル２０の裏面に出る。第１仮止め部２５の第２端部２５ｂは、補助化粧パネル２０の裏面から出た第１端部２５ａの輪の中を通る。
【００２６】
環状に紐によって構成された第１仮止め部２５は、補助化粧パネル２０に固定されている固定部２６と、環状部２７とを有する。環状部２７は、室内機本体３に設けられる第２仮止め部３１に係合する。第２仮止め部３１は、第１仮止め部２５が係合できる形状を有する。一例では、第２仮止め部３１は、室内機本体３の側面から突出する。本実施形態では、化粧パネル係合部３ａが第２仮止め部３１を兼ねる。
【００２７】
図９〜図１１を参照して、天井埋め込み式空気調和機の室内機１の設置方法について説明する。天井埋め込み式空気調和機の室内機１の設置方法には、勿論、補助化粧パネル２０および化粧パネル１０の取り付け作業を含む。
【００２８】
図９に示されるように、天井裏に設置された室内機本体３の第２仮止め部３１（化粧パネル係合部３ａ）に対して、補助化粧パネル２０の第１仮止め部２５を係合する。４つの第１仮止め部２５を第２仮止め部３１に掛けると、補助化粧パネル２０は、天井５よりも下の位置に吊り下がる。このとき、補助化粧パネル２０は、天井５に対して概ね平行に配置される。
【００２９】
図１０に示されるように、化粧パネル１０を補助化粧パネル２０よりも下の位置に配置して、化粧パネル１０の締結部１２のフック部１４を室内機本体３の化粧パネル係合部３ａに掛ける。４つのフック部１４が化粧パネル係合部３ａに掛けられると、化粧パネル１０は、補助化粧パネル２０よりも下の位置に配置する。こうした状態で、４つの締結部材１３を順に締める。そうすると、化粧パネル１０および補助化粧パネル２０が天井５に近づく。
【００３０】
図１１に示されるように、補助化粧パネル２０が天井５に接触するまで４つの締結部材１３を締め付けた後、補助化粧パネル２０の外周部をねじ３５によって天井５に締結する。その後、締結部材１３の頭部１３ａが露出する部分をカバー部１６で覆う。
【００３１】
本実施形態の効果を説明する。
（１）補助化粧パネル２０は、天井開口部６において化粧パネル１０によって覆われない余剰開口６ａを覆う。補助化粧パネル２０は、補助化粧パネル２０を吊りボルト７、天井支持部材８または室内機本体３に対し仮止めする第１仮止め部２５を有する。この構成によれば、補助化粧パネル２０に設けられている第１仮止め部２５によって補助化粧パネル２０を吊りボルト７、天井支持部材８または室内機本体３に仮止めできるため、その後の化粧パネル１０の取り付けの際に補助化粧パネル２０を支える必要がない。このように、化粧パネル１０および補助化粧パネル２０の取り付けを簡単に行うことができる。
【００３２】
（２）第１仮止め部２５は、環状部２７として形成される。この構成によれば、環状部２７を介して補助化粧パネル２０を吊りボルト７、天井支持部材８または室内機本体３に仮止めできる。
【００３３】
（３）補助化粧パネル２０は、室内機本体３に設けられて当該補助化粧パネル２０を仮止めする第２仮止め部３１に対して仮止め可能に構成される。この構成によれば、室内機本体３に設けられている第２仮止め部３１によって補助化粧パネル２０を室内機本体３に仮止めできるため、その後の化粧パネル１０の取り付けの際に補助化粧パネル２０を支える必要がない。このように、化粧パネル１０および補助化粧パネル２０の取り付けを簡単に行うことができる。
【００３４】
（４）天井埋め込み式空気調和機の室内機１は、化粧パネル係合部３ａと、補助化粧パネル２０を仮止めする第２仮止め部３１とを有する。この構成によれば、室内機本体３に設けられている第２仮止め部３１によって補助化粧パネル２０を室内機本体３に仮止めできるため、その後の化粧パネル１０の取り付けの際に補助化粧パネル２０を支える必要がない。このように、化粧パネル１０および補助化粧パネル２０の取り付けを簡単に行うことができる。
【００３５】
（５）天井埋め込み式空気調和機の室内機１において、室内機本体３は、化粧パネル係合部３ａと、補助化粧パネル２０を仮止めする第２仮止め部３１とを有する。補助化粧パネル２０は、補助化粧パネル２０を室内機本体３の第２仮止め部３１に仮止めする第１仮止め部２５を有する。
【００３６】
この構成によれば、室内機本体３に設けられている第２仮止め部３１と補助化粧パネル２０に設けられている第１仮止め部２５とによって補助化粧パネル２０を吊りボルト７、天井支持部材８または室内機本体３に仮止めできるため、その後の化粧パネル１０の取り付けの際に補助化粧パネル２０を支える必要がない。このように、化粧パネル１０および補助化粧パネル２０の取り付けを簡単に行うことができる。
【００３７】
（６）天井埋め込み式空気調和機の室内機１の設置方法は、次の３つの作業を有する。第１の作業では、室内機本体３に設けられている第２仮止め部３１に対し、補助化粧パネル２０に設けられている第１仮止め部２５を係合することによって、室内機本体３に補助化粧パネル２０を仮止めする。第２の作業では、化粧パネル１０を室内機本体３に取り付ける。第３の作業では、補助化粧パネル２０を天井５に締結する。
【００３８】
この構成によれば、設置作業において、補助化粧パネル２０に設けられている第１仮止め部２５によって補助化粧パネル２０を室内機本体３に仮止めする。このため、化粧パネル１０の取り付けの際に補助化粧パネル２０を支える必要がない。このように、化粧パネル１０および補助化粧パネル２０を簡単に取り付けできる。
【００３９】
本実施形態では、第２仮止め部３１は室内機本体３に設けられているが、第２仮止め部３１は吊りボルト７や天井支持部材８に設けられてもよい。この場合においても、上記設置方法に準じた方法によって、化粧パネル１０および補助化粧パネル２０を簡単に取り付けできる。
【００４０】
（変形例）
本開示の天井埋め込み式空気調和機の設置方法は、上記各実施の形態以外に、例えば以下に示される変形例、及び相互に矛盾しない少なくとも二つの変形例を組み合わせた形態としてもよい。
【００４１】
・図１２を参照して、第１仮止め部２５の変形例を説明する。第１仮止め部２５は、フック部４１を有する。フック部４１は、室内機本体３の第２仮止め部３１に係合する。この例では、第２仮止め部３１は、吊りボルト７または、吊りボルト７と室内機本体３との結合した結合部７ａである。
【００４２】
・本実施形態では、室内機本体３に第２仮止め部３１が設けられているが、第２仮止め部３１は、天井支持部材８に設けられてもよい。第２仮止め部３１は、天井支持部材８の一部分であってもよいし、天井支持部材８に取り付けられるものであってもよい。補助化粧パネル２０は、天井支持部材８に設けられた、当該補助化粧パネル２０を仮止めする第２仮止め部３１に対し、仮止め可能に構成される。また、第２仮止め部３１は、吊りボルト７に設けられてもよい。第２仮止め部３１は、例えば、吊りボルト７の途中に固定されるものとして構成される。具体的には、第２仮止め部３１は、吊りボルト７に係合するナット、吊りボルト７においてナットで固定されるフック部材、吊りボルト７においてナットで固定されるワッシャなどによって構成される。
【００４３】
・図１３を参照して、第２仮止め部３１の変形例を説明する。第２仮止め部３１は、天井支持部材８に設けられる。天井支持部材８は、野縁８ａ、および野縁受け８ｂを含む。第２仮止め部３１は、天井支持部材８の一部分であってもよい。例えば、図１３のＡ部に示すように、野縁８ａが上下方向に延びる縦壁８ｒと、縦壁８ｒの縁に設けられる折曲げ部８ｓとを有する場合、第２仮止め部３１は、野縁８ａの折曲げ部８ｓによって構成される。一例では、補助化粧パネル２０の第１仮止め部２５は、フック部４２を有する。フック部４２は、このような第２仮止め部３１に係合する。
【００４４】
・図１４を参照して、第２仮止め部３１の変形例を説明する。この例では、室内機本体３に設けられる第２仮止め部３１が補助化粧パネル２０に掛けられる。第２仮止め部３１は、室内機本体３に取り付けられるばね４４と、ばね４４の端部に設けられるフック部４５とを有する。この場合、ばね４４を伸ばしてフック部４５を、補助化粧パネル２０に設けられる環状部４６（第１仮止め部２５）に掛けられる。
【００４５】
・本実施形態では、化粧パネル係合部３ａが第２仮止め部３１を兼ねる。これに対して、第２仮止め部３１は、室内機本体３において化粧パネル係合部３ａと独立して設けられてもよい。第２仮止め部３１は、第１仮止め部２５が掛けられ易いように、化粧パネル係合部３ａよりも水平方向に長く突出するように構成されてもよい。
【００４６】
以上、本装置の実施形態を説明したが、特許請求の範囲に記載された本装置の趣旨及び範囲から逸脱することなく、形態や詳細の多様な変更が可能なことが理解されるであろう。
【符号の説明】
【００４７】
１…天井埋め込み式空気調和機の室内機
３…室内機本体
６…天井開口部
６ａ…余剰開口
７…吊りボルト
７ａ…結合部
８…天井支持部材
８ａ…野縁
８ｂ…野縁受け
１０…化粧パネル
１２…締結部
１３…締結部材
１４…フック部
１４ｃ…ねじ孔
２０…補助化粧パネル
２５…第１仮止め部
３１…第２仮止め部
４１…フック部
４２…フック部
４５…フック部
【図１】
2020056556.tif 000003
【図２】
2020056556.tif 000004
【図３】
2020056556.tif 000005
【図４】
2020056556.tif 000006
【図５】
2020056556.tif 000007
【図６】
2020056556.tif 000008
【図７】
2020056556.tif 000009
【図８】
2020056556.tif 000010
【図９】
2020056556.tif 000011
【図１０】
2020056556.tif 000012
【図１１】
2020056556.tif 000013
【図１２】
2020056556.tif 000014
【図１３】
2020056556.tif 000015
【図１４】
2020056556.tif 000016